(57)【要約】【課題】  落下させてしまった場合等の衝撃で意図せず分解してしまう恐れのないボタンを有した操作装置を提供する。【解決手段】  プッシュボタン１０を有した操作装置１において、第一のボタン組み付け操作により、プッシュボタン１０が上ケース部２０に嵌め込まれて係合してその嵌め込み方向への抜け防止状態となり、続く第二のボタン組み付け操作により、抜け防止状態のプッシュボタン１０が上ケース部２０に対し上記嵌め込み方向とは異なる方向へと相対移動して互いに係合し、その相対移動方向への戻り防止状態かつ上記嵌め込み方向への完全抜け防止状態となるとともに、その状態でプッシュボタン１０のプッシュストロークＰＳが所定長さ確保される。【選択図】図３
2014022213.tif 000002
【特許請求の範囲】
【請求項１】
プッシュボタンと、該プッシュボタンが組み付けられるケースと有した操作装置であって、
第一のボタン組み付け操作によって、プッシュボタンがケースに嵌め込まれ、それらプッシュボタンとケースとが互いの係合によってその嵌め込み方向への抜け防止状態となり、
続く第二のボタン組み付け操作によって、前記抜け防止状態のプッシュボタンが前記ケースに対し前記嵌め込み方向とは異なる方向へと相対移動され、それらプッシュボタンとケースとが互いに係合して、その相対移動方向への戻り防止状態となり、かつ前記嵌め込み方向への完全抜け防止状態となるとともに、それら戻り防止状態かつ完全抜け防止状態において前記プッシュボタンのプッシュストロークが所定長さ確保されたプッシュ操作可能状態となっていることを特徴とする操作装置。
【請求項２】
前記プッシュボタンと前記ケースのいずれか一方に第一爪部が設けられ、他方にその爪部と係合することにより前記抜け防止状態が形成される第一爪受け部が設けられるとともに、前記プッシュボタンと前記ケースのいずれか一方に第二爪部が設けられ、他方にその爪部と係合することにより前記戻り防止状態が形成される第二爪受け部が設けられる請求項１に記載の操作装置。
【請求項３】
前記プッシュボタンに第一爪部と第二爪受け部が設けられ、前記ケースに第一爪受け部と第二爪部が設けられる請求項２に記載の操作装置。
【請求項４】
前記プッシュボタンのプッシュストロークは前記抜け防止状態においても確保されている請求項１ないし請求項３のいずれか１項に記載の操作装置。
【請求項５】
前記プッシュボタンには、前記第二のボタン組み付け操作をするための持ち手部が設けられている請求項１ないし請求項４のいずれか１項に記載の操作装置。
【請求項６】
前記ケースは、その内部に空間が形成されるよう第一側ケース部材と第二側ケース部材とを組み付ける形で構成されるものであり、前記プッシュボタンは、前記第一側ケース部材に対し組み付けられるものであり、前記持ち手部は当該プッシュボタンのプッシュ面とは逆側の裏面に形成されている請求項１ないし請求項５のいずれか１項に記載の操作装置。
【請求項７】
前記ケースに対する前記プッシュボタンの前記抜け防止状態と前記完全抜け防止状態とが目視確認可能となっている請求項１ないし請求項６のいずれか１項に記載の操作装置。
【請求項８】
前記プッシュストロークは、前記第一のボタン組み付け操作による前記プッシュボタンの嵌め込み方向と一致した方向に所定長さ確保される請求項１ないし請求項７のいずれか１項に記載の操作装置。
【請求項９】
前記第二のボタン組み付け操作は、前記第一のボタン組み付け操作による前記プッシュボタンの嵌め込み方向に対し垂直な平面内に前記プッシュボタンを移動させる操作である請求項１ないし請求項８のいずれか１項に記載の操作装置。
【請求項１０】
前記第二のボタン組み付け操作は回転操作である請求項９に記載の操作装置。
【発明の詳細な説明】
【技術分野】
【０００１】
本発明は、プッシュボタンを有した操作装置に関する。
【背景技術】
【０００２】
プッシュボタンを有した電子機器としては、例えば特許文献１に示すようなスマートエントリーやキーレスエントリーといった車両用携帯キーのような携帯型の電子機器等がある。
【０００３】
こうした電子機器では、プッシュボタンがケース（筐体）に組み付けられている。ボタンの裏側にはケースに引っかかる嵌合組み付け用の爪が設けられており、ボタンをケースの開口部に嵌合組み付けする際には、ボタンはその爪部分をたわませながら開口部内へと押し込まれる。押し込まれたボタンは、その爪がケースに対し引っかかった状態となり、ケースから脱落しない状態となる。逆に言えば、この引っかかり状態が解除されてしまったとき、プッシュボタンはケースから脱落してしまう。
【先行技術文献】
【特許文献】
【０００４】
【特許文献１】特許第４１１０１６７号公報
【発明の概要】
【発明が解決しようとする課題】
【０００５】
しかしながら、こうした携帯型の電子機器の場合、想定される状況として、ユーザーがその電子機器を落下させてしまうことが考えられる。この場合、落下した電子機器には大きな衝撃が加わり、瞬間的にボタンの爪がたわんでケースに対する引っかかりが解除され、ボタンが分解・脱落してしまう可能性もある。
【０００６】
本発明の課題は、落下させてしまった場合等の衝撃で意図せず分解してしまう恐れのないボタンを有した操作装置を提供することにある。
【課題を解決するための手段および発明の効果】
【０００７】
上記課題を解決するために本発明の操作装置は、プッシュボタンと、該プッシュボタンが組み付けられるケースと有した操作装置であって、
第一のボタン組み付け操作によって、プッシュボタンがケースに嵌め込まれ、それらプッシュボタンとケースとが互いの係合によってその嵌め込み方向への抜け防止状態となり、
続く第二のボタン組み付け操作によって、抜け防止状態のプッシュボタンがケースに対し嵌め込み方向とは異なる方向へと相対移動され、それらプッシュボタンとケースとが互いに係合して、その相対移動方向への戻り防止状態となり、かつ嵌め込み方向への完全抜け防止状態となるとともに、それら戻り防止状態かつ完全抜け防止状態においてプッシュボタンのプッシュストロークが所定長さ確保されたプッシュ操作可能状態となっていることを特徴とする。
【０００８】
上記本発明の構成によれば、プッシュボタンとしての機能を確保しつつも、第二のボタン組み付け操作によって、ボタンとケースを完全抜け防止状態とすることが可能となる。つまり、従来のような嵌合組み付け用の爪を有するものの、その嵌合爪のケースへの引っ掛かりが、衝撃等があっても物理的に外れてしまうことのないように構成されるから、落下などで分解するようなことが無い。また、第二のボタン組み付け操作完了後、第一のボタン組み付け操作の操作方向（プッシュボタン１０の挿入方向）の運動に自由度を持たせており、これによりプッシュ操作のストロークも確保されている。
【図面の簡単な説明】
【０００９】
【図１】本発明の一実施形態である操作装置の外観図。
【図２】図１の操作装置の分解斜視図。
【図３】プッシュボタンの裏面図と、上ケース部の裏面図と、第一のボタン組み付け操作完了状態のプッシュボタン及び上ケース部の裏面図と、第二のボタン組み付け操作完了状態のプッシュボタン及び上ケース部の裏面図。
【図４】図３のＡ−Ａ断面図の一部。
【図５】図３のＢ−Ｂ断面図。
【図６】図３のＣ−Ｃ断面図。
【図７】図５と同じ切断面を用いて第一のボタン組み付け操作を説明する図。
【図８】図３のＤ視図であり、第二のボタン組み付け操作による変化を説明するために、プッシュボタンの移動方向を直線方向とした簡略図。
【図９】図３のＥ視図であり、第二のボタン組み付け操作による変化を説明するために、プッシュボタンの移動方向を直線方向とした簡略図。
【図１０】図１の実施形態の第一変形例であり、第二のボタン組み付け操作の前後のプッシュボタン及び上ケース部の裏面図。
【図１１Ａ】図１の実施形態の第二変形例であり、第二のボタン組み付け操作の前後のプッシュボタン及び上ケース部の表面図。
【図１１Ｂ】図１１Ａの第二変形例を示す図であり、第二のボタン組み付け操作によってプッシュボタンが組み付けられたケースの斜視図。
【図１２】図１の実施形態の第二変形例である操作装置の分解斜視図。
【図１３】図１２の操作装置におけるプッシュボタンの裏面図と、上ケース部の裏面図と、第一のボタン組み付け操作完了状態のプッシュボタン及び上ケース部の裏面図と、第二のボタン組み付け操作完了状態のプッシュボタン及び上ケース部の裏面図。
【図１４】図１２の実施形態の変形例であり、第二のボタン組み付け操作の前後のプッシュボタン及び上ケース部の表面図。
【図１５】図６と同じ切断面を用いて本発明の実施形態におけるプッシュ操作検出を説明する図。
【図１６】図１及び図１２の実施形態とは異なる実施形態の操作装置の断面を示す図。
【発明を実施するための形態】
【００１０】
以下、図面を参照して、本発明の一実施形態をなす操作装置１について説明する。
【００１１】
図１に示すように、操作装置１は、プッシュボタン１０と、プッシュボタン１０が組み付けられたケース（筐体）１００とを有しており、本実施形態では携帯型操作装置であり、ここでは特に、スマートエントリーやキーレスエントリー等の無線送信機をなす車両用携帯キーとして構成されている。
【００１２】
ケース１００は、上下のケース部２０，７０が組み付けられて構成され、内部に空間を形成する。上下のケース部２０，７０は、ここでは樹脂射出成形体からなる樹脂製部材であり、両者はネジ等の締結部材で固定されてもよいが、ここではスナップフィット等による係合固定とされている。
【００１３】
図２に示すように、ケース１００内には、各種素子が実装される回路基板６０と、防水性や気密性を保つゴム製の内部カバー３０と、電池４０，４０と、電池４０，４０を収容する電池ホルダ５０とを有する。内部カバー３０は、電池４０，４０と電池ホルダ５０と回路基板６０とを上方から覆う形で配置される。回路基板６０は、その上に配置される電池ホルダ５０の電池収容部５４，５４に収容された電池４０，４０と接続する接続部６４，６４と、プッシュボタン１０へのプッシュ操作を検出するタクトスイッチ等のプッシュ操作検出部６１が実装されている。電池ホルダ５０は、プッシュ操作検出部６１の操作検出面（上面）を、プッシュボタン１０側（上方）に露出させる開口５１を有する。
【００１４】
図１５に示すように、プッシュボタン１０は、上ケース部２０の表面側に組み付けられるものであり、プッシュストロークが少なくとも所定長さＰＳ確保されており、このストロークＰＳ分のプッシュ操作が可能となっている（プッシュ操作可能状態）。なお、このプッシュストロークＰＳは、第一のボタン組み付け操作によるプッシュボタン１０の嵌め込み方向と一致した方向に所定長さ確保されている。上ケース部２０は、プッシュボタン１０を配置するための凹部としてスイッチ配置部２４を有するとともに、そのスイッチ配置部２４の中央には、プッシュボタン１０において下方に突出する押圧力伝達部１３を貫通配置させる開口２３を有する。プッシュボタン１０は、下方にプッシュされると、その押圧力伝達部１３が、その直下に位置するゴム製の内部カバー３０のボタン対向部３１を介して、開口５１から露出するプッシュ操作検出部６１の操作検出面（上面）を押圧し、これによりプッシュ操作検出部６１がプッシュ操作を検出する。
【００１５】
ここで、上ケース部２０へのプッシュボタン１０の組み付けについて説明する。
【００１６】
図３に示すように、まずは第一のボタン組み付け操作として、プッシュボタン１０が上ケース部２０（ケース１００）に嵌め込まれ、それらプッシュボタン１０と上ケース部２０とが互いの係合によってその嵌め込み方向Ｔ１への抜け防止状態となる（図５及び図７参照）。次に第二のボタン組み付け操作として、その抜け防止状態のプッシュボタン１０が上ケース部２０に対しその嵌め込み方向Ｔ１とは異なる方向Ｔ２へと相対移動され、それらプッシュボタン１０と上ケース部２０とが互いの係合によって、その相対移動方向Ｔ２への戻り防止状態と嵌め込み方向Ｔ１への完全抜け防止状態となる（図６及び図８参照）。また、このとき（第二のボタン組み付け操作後）、プッシュボタン１０は、プッシュストロークＰＳが所定長さ確保されたプッシュ操作可能状態となる。
【００１７】
本実施形態のプッシュボタン１０は、裏面１０ｂ側から突出する第一の裏側突出部１１を複数有する。それら第一の裏側突出部１１（ここでは第一の裏側突出部１１の先端１１ａ）には第一のボタン組み付け操作による嵌め込み方向Ｔ１に対し垂直な方向側（ここでは外向き）に突出する第一爪部１１ａが設けられる。他方、上ケース部２０（ケース１００）は、プッシュボタン１０の第一のボタン組み付け操作によって第一の裏側突出部１１を第一爪部１１ａ側から迎え入れる第一のケース開口２１Ｈを有する。その第一のケース開口２１Ｈには、第一のボタン組み付け操作による嵌め込み方向Ｔ１の逆向きへの抜けを阻止する形で第一爪部１１ａと係合する第一係合受け部２０ｌが設けられる。
【００１８】
上記第一のケース開口２１Ｈは、プッシュボタン１０の第二のボタン組み付け操作による移動方向Ｔ２の手前側に設けられ、第一のボタン組み付け操作に際して第一の裏側突出部１１を第一爪部１１ａ側から迎え入れる第一側開口２１ｘと、その移動方向Ｔ２の奥側に設けられ、迎え入れた第一爪部１１ａに対しその爪突出方向側で第一のボタン組み付け操作による嵌め込み方向Ｔ１とは逆向きに当接する係合受け面（爪係合面）２１ｌ１を有する内壁部２１ｌを第一係合受け部として有するとともにその第一爪部１１ａの当接状態によって嵌め込み方向Ｔ１とは逆向きの抜けが阻止される隙間ｋｙを有した第二側開口２１ｙと、を有する。
【００１９】
上記第一のケース開口２１Ｈにおける第一側開口２１ｘは、第一爪部１１ａの爪突出方向側に第一側内壁部２１ｌに隣接する。この第一側内壁部２１ｌは、第一のボタン組み付け操作によってプッシュボタン１０を上ケース部２０（ケース１００）に嵌め込む際に、第一爪部１１ａをその爪突出方向逆向きに押し込んで第一の裏側突出部（弾性変形片）１１を弾性変形させるとともに、第一爪部１１ａが嵌め込み方向Ｔ１の所定位置まで進入した際には第一爪部１１ａをその弾性変形から復帰させて爪突出方向に迎え入れるよう途切れる内壁面２１ｌ２と、その途切れた位置において、迎え入れられた該第一爪部１１ａに対し第一のボタン組み付け操作による嵌め込み方向Ｔ１とは逆向きに当接する係合受け面２１ｌ１と、を有する。他方、第一爪部１１ａの爪突出方向逆側には、第一のボタン組み付け操作によってプッシュボタン１０を上ケース部２０（ケース１００）に嵌め込む際に裏側突出部１１に生じる弾性変形が許容される弾性変形許容隙間ｋｘを有する。
【００２０】
上記第一のケース開口２１Ｈにおける第二側開口２１ｙは、プッシュボタン１０の第二のボタン組み付け操作によって第一側開口２１ｘから移動してくる第一爪部１１ａを、妨げることなく迎え入れる。さらに、第二側開口２１ｙは、第一爪部１１ａが移動してきてこれを迎え入れたときに、第一側開口２１ｘでの第一爪部１１ａの上記当接状態を継続するように該第一爪部１１ａの爪突出方向側に設けられた第二側内壁部２１ｌに隣接する。他方、第一爪部１１ａの爪突出方向逆側には、第一のボタン組み付け操作において第一爪部１１ａ第一のボタン組み付け操作によってプッシュボタン１０を上ケース部２０（ケース１００）に嵌め込む際に裏側突出部１１に生じる弾性変形が許容されない、即ち当該弾性変形を不可とする弾性変形不可隙間ｋｙを有する。
【００２１】
また、本実施形態のプッシュボタン１０は、裏面１０ｂ側から突出する第二の裏側突出部１２を複数有する。他方、ケース２０は、第一のボタン組み付け操作においてその第二の裏側突出部１２を迎え入れる第二のケース開口２２Ｈを、それら第二の裏側突出部１２に対応して複数有する。その第二のケース開口２２Ｈの開口内には、プッシュボタン１０の第二のボタン組み付け操作による移動方向Ｔ２側からその逆向きに突出する移動方向突出部２２が設けられている。
【００２２】
上記移動方向突出部２２には、第二のボタン組み付け操作によるプッシュボタン１０の移動方向Ｔ２に対し垂直な方向側（ここでは外向き）に突出する第二爪部２２ａが設けられる。ここでの第二爪部２２ａは第二の裏側突出部２２の先端に設けられている。他方、第二の裏側突出部１２には、プッシュボタン１０の第二のボタン組み付け操作による移動方向Ｔ２の逆向きへの抜けを阻止する形で第二爪部２２ａと係合する第二係合受け部１２が設けられる。
【００２３】
上記第二係合受け部１２は第二の裏側突出部１２であり、第二の裏側突出部１２における移動方向Ｔ２の後端面１２ｃを、第二爪部２２ａと係合する係合受け面（爪係合面）１２ｃとして有する。その係合受け面１２ｃは、第二爪部２２ａに対し、その爪突出方向側で第二のボタン組み付け操作によるプッシュボタンの移動方向Ｔ２とは逆向きに当接する。
【００２４】
上記第二のケース開口２２Ｈは、第一のボタン組み付け操作においてプッシュボタン１０の第二の裏側突出部１２を、妨げることなく迎え入れるよう、プッシュボタン１０の第二のボタン組み付け操作による移動方向Ｔ２の手前側に設けられる第一側開口２２ｘと、開口内に移動方向突出部２２を有する形でプッシュボタン１０の第二のボタン組み付け操作による移動方向Ｔ２の奥側に設けられ、第二のボタン組み付け操作によってプッシュボタン１０を移動方向Ｔ２に移動させる際に、第二爪部２２ａをその爪突出方向逆向きに押し込んで移動方向突出部２２を弾性変形させるとともに、第二の裏側突出部１２が移動方向Ｔ２の所定位置まで進入した際には第二爪部２２ａをその弾性変形から復帰させて、第二の裏側突出部１２の後方に迎え入れ、迎え入れられた該第二爪部２２ａに対し第二の裏側突出部１２の後端面１２ｃを第二のボタン組み付け操作による移動方向Ｔ２とは逆向きに当接させる第二側開口２２ｙと、を有する。ここでの第二側開口２２ｙは、第二のボタン組み付け操作において、第一側開口２２ｘ内に位置する第二の裏側突出部１２を第二爪部２２ａ側から迎え入れるよう、該第二爪部の爪突出方向側に位置する収容隙間ｈｙ１と、第二の裏側突出部１２を迎え入れるに際して該第二爪部２２ａをその爪突出方向逆向きに押し込むために生じる、移動方向突出部（弾性変形片）２２の弾性変形を許容する、該第二爪部の爪突出方向逆側に位置する弾性変形許容隙間ｈｙ２と、を有する。
【００２５】
以下、本実施形態における上ケース部２０へのプッシュボタン１０の組み付けを、さらに詳細に説明する。
【００２６】
本実施形態においては、プッシュボタン１０と上ケース部２０（ケース１００）のいずれか一方に、上記抜け防止状態をなす係合状態を形成するための第一爪部１１ａが設けられ、他方に、その爪部１１ａと係合する第一爪受け部２１ｌが設けられる。ここでは、図３に示すように、プッシュボタン１０に第一爪部１１ａが設けられ、上ケース部２０（ケース１００）に第一爪受け部２１ｌが設けられる。他方、プッシュボタン１０と上ケース部２０（ケース１００）のいずれか一方には、上記戻り防止状態をなす係合状態を形成するための第二爪部２２ａが設けられ、他方に、その爪部２２ａと係合する第二爪受け部１２が設けられる。ここでは、上ケース部２０（ケース１００）に第二爪部２２ａが設けられ、プッシュボタン１０に第二爪受け部１２が設けられる。それら爪部１１ａ，２２ａ及び爪受け部２１ｌ、１２は、それぞれが異なる部位として別々に設けられている。
【００２７】
プッシュボタン１０には、図３及び図４に示すように、円形状のボタン本体１４の外周側に裏面１０ｂ側へと突出する裏側突出部１１，１２が所定間隔おき（ここでは等間隔）に交互に複数（ここでは３個ずつ）設けられる。上ケース部２０（ケース１００）には、それら各裏側突出部１１，１２が挿通される開口２１Ｈ，２２Ｈが設けられている。
【００２８】
裏側突出部（図中の上下方向嵌合爪）１１は、ボタン本体１４からボタン裏面１０ｂ側に延出する延出部１１ｂと、その先端で延出方向に対し垂直方向側に突出してその延出方向とは逆向きに臨む係合面１１ａ２を形成する第一爪部１１ａとを有する爪係合用突出部１１である。
【００２９】
本実施形態における第一のボタン組み付け操作は、上ケース部２０（ケース１００）の各開口２１ｘ，２２ｘに対しプッシュボタン１０の裏側突出部１１，１２が挿入されるよう位置を合わせて、プッシュボタン１０を上ケース部２０の上面凹部２４に対し嵌め込んでいく嵌合操作である。
【００３０】
この第一のボタン組み付け操作において、第一爪部１１ａは、図７に示すように、上ケース部２０に設けられた開口２１Ｈのうちの第一側開口２１ｘに挿入され、裏側突出部１１を第一爪部１１ａの爪突出方向（上記垂直方向）とは逆向きに弾性変形させつつ奥へと押し込まれていく。ここでは、開口全体２１Ｈを取り囲む一方の側（ここでは外側）の壁部２１ｌの壁面２１ｌ２と、その壁部２１ｌの上面とにより形成されるケース側の角部に、第一爪部１１ａにおいて爪突出方向側で下方を臨む傾斜面（ここでは下方外向きに臨む傾斜面）１１ａ１を押し当てて滑らせる形で延出部１１ｂを、爪突出方向とは逆側（ここではボタン中心側）に弾性変形させていきながら、開口２１ｘ内に第一爪部１１ａを滑り込ませていく。
【００３１】
その後、第一爪部１１ａは、爪突出方向側の面（ここでは外周側の面）を壁面２１ｌ２上で滑らせる形で下方へと押し込まれていき、その押し込み方向において壁面２１ｌ２が途切れる位置に達したときに、上記弾性変形から復帰して、第一爪部１１ａが第一爪受け部をなす壁部２１ｌの下方へと滑り込む。これにより、第一爪部１１ａの係合面１１ａ２と、壁部２１ｌの下端面をなす係合受け面２１ｌ１とが組み付け方向（押し込み方向：ここでは上下方向）に面接触する形で係合状態、つまりは上記抜け防止状態となる。
【００３２】
図８に示すように、開口２１Ｈは、第一のボタン組み付け操作において、幅ｋ（図４のａ＋ｂ）を有する第一爪部１１ａの挿入が裏側突出部１１の弾性変形を伴う形で可能となる開口幅ｋｘを有する第一側開口２１ｘと、その開口幅ｋｘよりも小幅の開口幅ｋｙを有する第二側開口２１ｙと、を有する。第一側開口２１ｘに挿入されて上記係合状態となった第一爪部１１ａは、第二のボタン組み付け操作によってプッシュボタン１０と上ケース部２０との間で相対移動が生じるに伴い、その係合状態を保持したまま、第二側開口２１ｙへと移動する。ここでは、開口２１Ｈにおいて、一方の側の内壁面２１ｌ２を形成する壁部２１ｌは、その内壁面２１ｌ２が第一側開口２１ｘ側から第二側開口２１ｙへと連続的に続く形で形成されており、その下端面をなす係合受け面２１ｌ１も第一側開口２１ｘ側から第二側開口２１ｙへと連続的に続く形で形成されている。これにより、第一爪部１１ａの係合面１１ａ２は、壁部２１ｌの下端面をなす係合受け面２１ｌ１との面接触による係合状態を保持したまま、第一側開口２１ｘ側から第二側開口２１ｙへと移動することができる。
【００３３】
なお、本実施形態における第二のボタン組み付け操作は、第一のボタン組み付け操作の操作方向（嵌め込み方向）Ｔ１に対し直交する平面内で、プッシュボタン１０を所定方向に移動させる操作である。ここでは、上ケース部２０（ケース１００）に対し、プッシュボタン１０をその中心軸線２の周りに回転させる回転操作である。
【００３４】
一方、開口２１Ｈの第一側開口２１ｘは、係合受け面２１ｌ１を形成する壁部２１ｌとは逆側において、裏側突出部１１の弾性変形に伴う変位を許容する変位許容幅の隙間が確保される位置に、対向する壁部２１ｍを有する。ところが、この壁部２１ｍは第一側開口２１ｘにおいてのみ形成されており、第二側開口２１ｙにおいては、壁部２１ｌとは逆側の、上記変位許容幅よりも小幅の隙間が確保される位置に、壁部２１ｎを有する。つまり、係合受け面２１ｌ１を形成する壁部２１ｌと対向する壁部は、段差を介して互いが連続する壁部２１ｍ、２１ｎとして形成されている。このため、第二のボタン組み付け操作によって、第一爪部１１ａが、第一側開口２１ｘ側から第二側開口２１ｙに移動すると、上記変位許容幅が確保されなくなるため、プッシュボタン１０は、第一のボタン組み付け操作のときの押し込み方向とは逆向きに抜ける可能性が完全に無くなった上記完全抜け防止状態となる。
【００３５】
つまり、図５及び図６に示すように、開口２１Ｈの第一側開口２１ｘは、第一のボタン組み付け操作におけるプッシュボタン１０側の第一爪部１１ａの組み付け経路となる隙間をなすために、少なくとも第一爪部１１ａの爪突出高さ（厚み）ａと、延出部１１ｂの幅（厚み）ｂの和よりも広い開口幅ｘを有する。
（開口幅ｘ）＞（爪突出高さａ）＋（延出部厚みｂ）
一方で、第二側開口２１ｙは、第一のボタン組み付け操作におけるプッシュボタン１０側の第一爪部１１ａの組み付け方向への逆戻りを阻止する隙間をなすために、最大でも第一爪部１１ａの爪突出高さ（厚み）ａと延出部１１ｂの幅（厚み）ｂの和よりも狭い開口幅ｙを有する。
（開口幅ｙ）＜（爪突出高さａ）＋（延出部厚みｂ）
【００３６】
また、図８に示すように、第一爪部１１ａ（裏側突出部１１）は開口２１Ｈ内を一定範囲の移動量だけ変位する。開口２１Ｈの第一側開口２１ｘの開口長さｌｘは、第一爪部１１ａ（裏側突出部１１）の爪部長さｌよりも長く、実際の開口長さｌｘには、長さｉ＋ｊの余裕を持たせてある。第二側開口２１ｙの開口長さｌｙも同様、第一爪部１１ａ（裏側突出部１１）の爪部長さｌよりも長く、実際の開口長さｌｙには、長さｎ＋ｍの余裕を持たせてある。
（開口長さｌｘ） ＝（爪部長さｌ）＋ｉ＋ｊ＞（爪部長さｌ）
（開口長さｌｙ） ＝（爪部長さｌ）＋ｎ＋ｍ＞（爪部長さｌ）
上記移動量の範囲は、その移動量をｓとすると以下のようになる。
（爪部長さｌ）＜（移動量ｓ）＜（開口長さｌｘ＋ｌｙ）−（爪部長さｌ）
【００３７】
他方、裏側突出部１２は、ボタン本体１４からボタン裏面１０ｂ側に延出する延出部として形成され、図９に示すように、第一のボタン組み付け操作の際、上ケース部２０に設けられた開口２２Ｈのうちの第一側開口２２ｘに挿入される。そして、第二のボタン組み付け操作がなされる際、裏側突出部１２は、上ケース部２０に設けられた開口２２Ｈ内において、第一側開口２２ｘ側）から第二側開口２２ｙ側へと移動する。
【００３８】
ただし、上ケース部２０には、裏側突出部１２の第一側開口２２ｘ側から第二側開口２２ｙ側への裏側突出部１２への移動を妨げるよう、先端に第二爪部２２ａが設けられた爪係合用突出部（図中の回転方向嵌合爪）２２を有する。第二のボタン組み付け操作がなされる際、裏側突出部１２は、この爪係合用突出部２２を弾性変形させて押し退けつつ第二側開口２２ｙ側へと押し込まれていきれ、所定位置まで押し込まれて第二側開口２２ｙ内に達すると、爪係合用突出部２２が弾性復帰し、その先端の第二爪部２２ａが、裏側突出部１２の第二側開口２２ｙ側から第一側開口２２ｘ側への逆戻り・逆移動を阻止する形となり、上記戻り防止状態となる。
【００３９】
本実施形態においては、上ケース部２０に、開口２２Ｈの第二側（第二側開口２２ｙ側）の内壁部２２ｚから第一側（第一側開口２２ｘ側）へと延出する延出部２２ｂと、その先端に設けられ、第一側開口２２ｘから第二側開口２２ｙへ進入する裏側突出部１２の進入口を狭めるよう突出（ここでは外側に突出）してその進入を阻止するように位置する第二爪部２２ａと、を有した爪係合用突出部２２が設けられている。具体的に言えば、開口２２Ｈは、対向する壁部２２ｌ、２２ｍ（ここでは外側の壁部２２ｌと内側の壁部２２ｍ）に挟まれ、第一のボタン組み付け操作において裏側突出部１２の挿入が余裕をもって可能となる開口幅ｈｘを有する第一側開口２２ｘと、その第一側開口２２ｘ側から連続的に続く壁部２２ｌと、壁部２２ｍから段差を介して連続する壁部（ここでは内側の壁部）２１ｎとに挟まれて開口幅ｈｘよりも大きい幅の開口幅ｈｙを有する第二側開口２１ｙと、を有する。ただし、第二側開口２１ｙは、その幅方向中間位置に爪係合用突出部２２が設けられて分断されており、第二のボタン組み付け操作によって裏側突出部１２が進入可能となる実質の幅は開口幅ｈｘ以下（ここでは開口幅ｈｘ未満）とされている。このとき裏側突出部１２が進入不可となる逆側の隙間（ここでは内側の隙間：図９では下側の開口２２ｙ）は、裏側突出部１２が第二側開口２１ｙ側に進入する際に弾性変形する爪係合用突出部２２を迎え入れるために設けられている。
【００４０】
裏側突出部１２は、第二のボタン組み付け操作の際の移動方向前端面１２ａに、爪係合用突出部２２側が切り欠かれた形で移動方向後方に傾斜した傾斜面１２ｂを有する。この傾斜面１２ｂは、第二のボタン組み付け操作の際に、爪係合用突出部２２の第二爪部２２ａに当接し、第二爪部２２ａの爪突出方向とは逆向きへの弾性変形を促すよう機能する。また、第二爪部２２ａも第一側開口２２ｘ側の面が、第一側開口２２ｘ側とは逆側ほど爪突出方向に突出するような傾斜面２２ａ１をなす。この傾斜面２２ａ１も、第二のボタン組み付け操作の際に、移動してくる裏側突出部１２に当接し、第二爪部２２ａの爪突出方向とは逆向きへの弾性変形を促すよう機能する。なお、これら傾斜面１２ｂ，２２ａ１はいずれかであってもよいが、双方に設けることで上記機能の効果が増し、第二のボタン組み付け操作がより容易に可能となる。
【００４１】
裏側突出部１２は、第二のボタン組み付け操作がなされると、第二爪部２２ａを爪突出方向逆側に押し込む形で爪係合用突出部２２が爪突出方向逆側へと弾性変形させつつ第二側開口２２ｙ側へと移動し、第二爪部２２ａを乗り越えきったところで、上記弾性変形が解除されて、第二爪部２２ａが、第二爪受け部をなす裏側突出部１２の移動方向後方へと入り込む。これにより、裏側突出部１２の移動方向において、第二爪部２２ａの該移動方向側（第一側開口２２ｘとは逆側）を臨む面２２ａ２が係合面、裏側突出部１２の移動方向後端面１２ｃが係合受け面となる形で、それら双方の面２２ａ２，１２ｃが組み付け方向（ここでは回転方向：図中では左右方向）に面接触する形で係合する係合状態、つまりは上記戻り防止状態となる。
【００４２】
図９に示すように、裏側突出部１２は開口２２Ｈ内を一定範囲の移動量だけ変位する。開口２２Ｈの第一側開口２２ｘの開口長さｌ１は、裏側突出部１２の突出部長さｐよりも長く、実際の開口長さｌ１には、長さｏ＋ｕの余裕を持たせてある。第二側開口２２ｙの開口長さｌ２も同様、裏側突出部１２の突出部長さｐよりも長く、実際の開口長さｌｙには、長さｗ＋ｖの余裕を持たせてある。
（開口長さｌ１） ＝（突出部長さｐ）＋ｏ＋ｕ＞（突出部長さｐ）
（開口長さｌ２） ＝（突出部長さｐ）＋ｗ＋ｖ＞（突出部長さｐ）
上記移動量の範囲は、その移動量をｔとすると以下のようになる。
（突出部長さｐ）＜（移動量ｔ）＜（開口長さｌ１＋ｌ２）−（突出部長さｐ）
【００４３】
なお、本実施形態においては、上記抜け防止状態と上記戻り防止状態（上記完全抜け防止状態）との双方において、プッシュボタン１０の下端側には、上ケース部２０との間に予め定められた幅のプッシュストロークＰＳが確保され、プッシュストロークＰＳ分のプッシュ操作（押し込み操作）が可能となっている。ここでは、プッシュボタン１０の裏側突出部１１，１２の下方（ケース内）側は、ケース１００の内部空間となっているため、下方への変位がプッシュストロークＰＳ以上の長さ確保される一方、プッシュボタン１０のボタン本体１４の下方側には、上ケース部２０のボタン配置部２４が位置しており、ボタン配置部２４の上面までの長さがプッシュストロークＰＳとなっており、長さＰＳ分のプッシュ操作を確実に可能にしている。
【００４４】
また、図１５に示すように、プッシュボタン１０は、ボタン本体１４の中央部において下方に延出する押圧力伝達部１３が、ゴム製の内部カバー３０のボタン対向部３１の上面に当接する形で下方から支持されており、上記プッシュ操作によって、そのボタン対向部３１ごと所定のプッシュストロークＰＳだけ押圧変位し、プッシュ操作検出部６１の操作検出面（上面）がプッシュされて、そのプッシュ操作が検出される。
【００４５】
このように、本実施形態の操作装置（電子機器）１の構成をなすことで、落下等で衝撃を受けた際に外側のプッシュボタン１０が分解してケース１００から脱落することを防ぐことができる。つまり、第二のボタン組み付け操作完了後、第一爪部１１ａは周囲の隙間が狭められて、プッシュボタン１０の嵌合方向への抜けが完全に不可の状態となるから、落下などで操作装置１が外部から衝撃を受けて、プッシュボタン１０に嵌合方向の衝撃力が作用したとしても、第一爪部１１ａの爪係合が解除されてしまうことはない。一方で、その衝撃力は回転方向には作用し難いため、第二爪部２２ａの爪係合が解除されて、プッシュボタン１０が回転してしまうことも生じ難い。つまり、プッシュボタン１０は、第二のボタン組み付け操作がなされると、その後、その操作による移動方向とは逆方向への移動が事実上不可能となる。その結果、プッシュボタンがケース１００から脱落するようなことがほとんど生じ得ない構造となる。また、第二の組み付け操作完了後、プッシュボタン１０とケース１００（上ケース部２０）とが完全に固定させるのではなく、第一の組み付け操作の操作方向（プッシュボタン１０の挿入方向）の運動に自由度を持たせており、これによりプッシュ操作のストロークを確保している。
【００４６】
以上、本発明の一実施形態を説明したが、これはあくまでも例示にすぎず、本発明はこれに限定されるものではなく、特許請求の範囲の趣旨を逸脱しない限りにおいて、当業者の知識に基づく種々の変更が可能である。
【００４７】
上記実施形態においては、プッシュボタン１０に対し第一と第二のボタン組み付け操作の双方がなされるが、そのプッシュボタン１０には、第二のボタン組み付け操作をするための持ち手部（レバー）１９が設けられていてもよい。例えば、第二のボタン組み付け操作が上記実施形態のように回転操作である場合には、図１０に示すように、回転方向に率面を有して手が引っかかるように構成されるレバー１９を設けることができる。なお、このレバー１９は、プッシュボタン１０の裏面１０ｂ側に設けられることで、ボタン１０の意匠性を損ねることが無くなる。
【００４８】
また、上記実施形態においては、プッシュボタン１０に対し第一と第二のボタン組み付け操作の双方がなされることではじめて、プッシュボタン１０のケース１００側（ここでは上ケース部２０）に固定されるが、図１０や、図１１Ａ及び図１１Ｂに示すように、ケース１００（ここでは上ケース部２０）に対するプッシュボタン１０の上記抜け防止状態と上記完全抜け防止状態とが目視確認可能となるようにしてもよい。第二のボタン組み付け操作がなされたか否かを視認できるようになれば、組み付けミスを防ぐことが可能となる。例えば、図１０の場合は、レバー１９の向きが、ケース１００（上ケース部２０）の長手方向に一致した向きであれば第二のボタン組み付け操作完了と視認できるし、不一致であれば第二のボタン組み付け操作されていないと視認できる。図１１Ａ及び図１１Ｂ場合は模様１８であり、十字模様１８がケース１００（上ケース部２０）の長辺と短辺の方向に一致した向きであれば第二のボタン組み付け操作完了と視認できるし、不一致であれば第二のボタン組み付け操作されていないと視認できる。
【００４９】
なお、これらレバー１９や模様１８といった、第二のボタン組み付け操作完了を視認できる操作完了判定部は、プッシュボタン１０の表裏いずれにも設けることができるが、裏面１０ｂ側に設けられることで、ボタン１０の意匠性を損ねることが無くなる。図１１Ａ及び図１１Ｂのように一定の意匠性が得られる模様であれば、表面１０ａ側に設けられてもよい。ただし、図１１Ａ及び図１１Ｂの模様は、第二のボタン組み付け操作をするための持ち手部（レバー）としても機能するよう、ボタン表面１２ａの凹凸形状によって形成されている。
【００５０】
また、ケース１００（ここでは上ケース部２０）に対するプッシュボタン１０の上記抜け防止状態と上記完全抜け防止状態との目視確認は、プッシュボタン１０の嵌合方向（第一のボタン組み付け操作の操作方向）におけるプッシュボタン１０の位置の違いによって可能に構成されていてもよい。
【００５１】
また、上記実施形態においては、プッシュボタン１０に対する第二のボタン組み付け操作が回転操作とされているが、第二のボタン組み付け操作は、第一のボタン組み付け操作とは操作方向（ケース１００に対するプッシュボタン１０の相対移動方向）が異なっていればよい。例えば、図１２及び図１３に示すように、第二のボタン組み付け操作を、プッシュボタン１０を上ケース部２０の長手方向に直線的にスライドさせる操作としてよい。プッシュボタンが円形状ではない形状、例えば星形状や四角形状などの多角形状であるときに特に有効となる。
【００５２】
ただし、この場合、第一のボタン組み付け操作によってプッシュボタン１０が上ケース部２０の上面凹部２４に対し嵌合されたときに、図１４に示すように、上面凹部２４の長手方向の一端側に隙間１７Ｈが形成される必要があり、第二のボタン組み付け操作をなすスライド操作がなされると、その隙間を埋めるようにプッシュボタン１０を長手方向にスライドさせることになる。その結果、スライド後も、上面凹部２４の長手方向の他端側に隙間１７Ｈ’が生じてしまう。このため、ここでは第二のボタン組み付け操作後、その隙間１７Ｈ’に隙間充填部材１７を充填して隙間１７Ｈ’を無くしている。そして、この隙間充填部材１７が上記操作完了判定部をなし、第二のボタン組み付け操作完了を目視確認可能となる。なお、隙間充填部材１７は、隙間１７Ｈ’に配置可能で、隙間１７Ｈには配置不可能となるように構成されるものとする。ここでは、隙間充填部材１７と隙間１７Ｈ’，１７の凹凸形状によって実現するものとする。また、隙間充填部材１７は、例えばガラス細工のような光の特徴的な反射を生じさせたり金属光沢等を有するような加飾プレートとすることで、デザイン性の向上に貢献させることも可能である。
【００５３】
また、上記実施形態において、図１６に示すように、裏側突出部１２を、裏側突出部１１と同機能を有するように第一爪部１１ａを有した形状で形成し，開口２２Ｈを、開口２１Ｈと同機能を有するように第一爪受け部２１ｌを有した形状で形成してもよい。
【符号の説明】
【００５４】
１  操作装置
１０  プッシュボタン
１１  裏側突出部
１１ａ  第一爪部
１２  裏側突出部（第二爪受け部）
２０  上ケース部
２１ｌ  壁部（第一爪受け部）
２１Ｈ  開口
２２  爪係合用突出部
２２ａ  第二爪部
２２Ｈ  開口
３０  内部カバー
７０  下ケース部
ＰＳ  プッシュストローク
【図１】
2014022213.tif 000003
【図３】
2014022213.tif 000004
【図４】
2014022213.tif 000005
【図５】
2014022213.tif 000006
【図６】
2014022213.tif 000007
【図７】
2014022213.tif 000008
【図８】
2014022213.tif 000009
【図９】
2014022213.tif 000010
【図１０】
2014022213.tif 000011
【図１１Ａ】
2014022213.tif 000012
【図１１Ｂ】
2014022213.tif 000013
【図１４】
2014022213.tif 000014
【図１５】
2014022213.tif 000015
【図１６】
2014022213.tif 000016
【図２】
2014022213.tif 000017
【図１２】
2014022213.tif 000018
【図１３】
2014022213.tif 000019